(57)【要約】      （修正有）【課題】パター用ゴルフクラブシャフトとして好適に使用することができる、屈曲部を有する管状体、及びその製造方法を提供する。【解決手段】長手方向に繊維が連続した繊維強化樹脂硬化物層が積層された、屈曲部を有する管状体。繊維方向が、管状体の長手方向に対して+３０〜+７０°に配向された層と、−３０〜−７０°に配向された層とからなるプリプレグをマンドレル１０に巻き付けた後に加熱硬化してバイアス層を得る工程と、繊維方向が管状体の長手方向に引き揃えられたストレート層を形成するプリプレグを巻き付ける工程と、その上からテープをらせん状に巻き付けた後にマンドレルを取り外し、巻き付け物を得る工程と、この巻き付け物を加熱し局部的に屈曲させる工程と、局部的に屈曲した状態を保持させながら加熱硬化する工程とを有する、連続した繊維強化樹脂硬化物層が積層された管状体の製造方法。【選択図】図１
2016147056.tif 000002
【特許請求の範囲】
【請求項１】
長手方向に繊維が連続した繊維強化樹脂硬化物層が積層された、屈曲部を有する管状体。
【請求項２】
繊維強化樹脂硬化物層が炭素繊維強化樹脂層である、請求項１記載の管状体。
【請求項３】
円筒形状を有する、請求項１又は２記載の管状体。
【請求項４】
請求項１〜３のいずれかに記載の管状体から構成される、パター用ゴルフクラブシャフト。
【請求項５】
先端部Ａと本体部Ｂとからなり、先端部Ａは少なくとも１か所に前記屈曲部を有するテーパー状またはストレート状の形態であり、本体部Ｂはシャフト長手軸方向に対し実質的に曲りのないテーパー状またはストレート状の形態である、請求項４記載のパター用ゴルフクラブシャフト。
【請求項６】
前記先端部Ａがシャフトのヘッド側端乃至ヘッド側端から２００ｍｍの領域であり、前記先端部Ｂがヘッド側端から２００ｍｍ乃至グリップ側端の領域である、請求項５記載のパター用ゴルフクラブシャフト。
【請求項７】
接合部を有さない前記先端部Ａ及び前記本体部Ｂから構成される、請求項５又は６記載のパター用ゴルフクラブシャフト。
【請求項８】
繊維強化樹脂硬化物層の繊維がシャフトの長手方向に対して８０°〜１００°に配向されたフープ層が、先端部Ａの最外層に積層されている、請求項５〜７のいずれかに記載のパター用ゴルフクラブシャフト。
【請求項９】
先端部Ａの屈曲部の角度をそれぞれθｎ（ｎは整数）とした時、
１３５°≦  θｎ  ＜  １８０°
の範囲からなる、請求項５〜８のいずれかに記載のパター用ゴルフクラブシャフト。
【請求項１０】
シャフトの重量（ｇ）をＧとし、シャフトの細径端から太径端までの距離（ｍｍ）をＬとした時、
０．０３  ≦  Ｇ／Ｌ  ≦  ０．１５
の範囲である、請求項５〜９のいずれかに記載のパター用ゴルフクラブシャフト。
【請求項１１】
繊維方向が、管状体の長手方向に対して+３０〜+７０°に配向された層と、−３０〜−７０°に配向された層とからなるプリプレグをマンドレルに巻き付けた後に加熱硬化してバイアス層を得る工程と、繊維方向が管状体の長手方向に引き揃えられたストレート層を形成するプリプレグを巻き付ける工程と、その上からテープをらせん状に巻き付けた後にマンドレルを取り外し、巻き付け物を得る工程と、この巻き付け物を加熱し局部的に屈曲させる工程と、局部的に屈曲した状態を保持させながら加熱硬化する工程とを有する、連続した繊維強化樹脂硬化物層が積層された管状体の製造方法。
【請求項１２】
繊維強化樹脂が炭素繊維強化樹脂である、請求項１１記載の管状体の製造方法。
【請求項１３】
得られる管状体が円筒形状を有する、請求項１１又は１２記載の管状体の製造方法。
【請求項１４】
請求項１１記載の各工程を有する、パター用ゴルフクラブシャフトの製造方法。
【請求項１５】
前記のバイアス層を形成する工程において、該バイアス層を形成するプリプレグの巻き付け後、その上からテープをらせん状に巻き付けた後に加熱硬化させ、加熱硬化後にテープを除去する、請求項１４記載のパター用ゴルフクラブシャフトの製造方法。
【請求項１６】
前記の管状体の長手方向に引き揃えられたストレート層を形成するプリプレグを巻き付ける工程において、補助層を形成するプリプレグも巻き付ける、請求項１４又は１５記載のパター用ゴルフクラブシャフトの製造方法。
【請求項１７】
前記の補助層が、繊維強化樹脂の繊維がシャフトの長手方向に対して８０°〜１００°に配向されたフープ層であり、これを形成するプリプレグをシャフトのヘッド側端乃至ヘッド側端から２００ｍｍに相当する領域に巻き付ける、請求項１６記載のパター用ゴルフクラブシャフトの製造方法。
【請求項１８】
前記巻き付け物を加熱し局部的に屈曲させる工程において、シャフトのヘッド側端乃至ヘッド側端から２００ｍｍに相当する領域を屈曲させる、請求項１４〜１７のいずれかに記載のパター用ゴルフクラブシャフトの製造方法。
【請求項１９】
前記巻き付け物を加熱し局部的に屈曲させる工程において、シャフトのヘッド側端乃至ヘッド側端から２００ｍｍに相当する領域の１か所以上を屈曲させる際に、この屈曲させる角度をそれぞれθｎ（ｎは整数）とした時、
１３５°≦  θｎ  ＜  １８０°
の範囲となるようにする、請求項１４〜１８のいずれかに記載のパター用ゴルフクラブシャフトの製造方法。
【請求項２０】
繊維方向が、シャフトの長手方向に対して＋４５°と−４５°からなるバイアス層を形成するプリプレグをマンドレルに巻き付ける工程と、その上からポリプロピレン製のテープをらせん状に巻き付けた後加熱硬化する工程と、加熱硬化後にテープを剥ぎ取り、繊維方向がシャフトの長手方向に引き揃えられたストレート層を形成するプリプレグ、および補助層を形成するプリプレグを巻き付ける工程と、その上からポリプロピレン製のテープをらせん状に巻き付けた後にマンドレルを取り外す工程と、シャフトの細径端部乃至細径端から２００ｍｍの領域のみを加熱し局部的に屈曲させる工程と、局部的に屈曲した状態を保持させながら加熱硬化する工程とを有する、炭素繊維強化樹脂硬化物が積層されたパター用ゴルフクラブシャフトの製造方法。
【発明の詳細な説明】
【技術分野】
【０００１】
本発明は、自動車やオートバイのバックミラーのステー等の支持部材や、自転車のフレーム等の補強材に使用することができ、特に、パター用ゴルフクラブシャフトとして好適に使用することのできる管状体とその製造方法に関する。
【背景技術】
【０００２】
繊維強化樹脂、特に炭素繊維強化樹脂は、軽量でありながら優れた強度特性を有するため、自動車、オートバイ、自転車、航空機等の種々の形状を有する構造部材への適用が広がっており、特に、炭素繊維強化樹脂からなる管状体は、ゴルフクラブシャフトや釣竿等のスポーツ・レジャー用途に広く利用されている。中でもウッドやアイアンといったゴルフクラブに関しては、使用されるゴルフクラブシャフトの軽量化が、スイングスピードの増大に大きく寄与し、これがボールの飛距離増大に貢献することから、ゴルフクラブシャフトとして、炭素繊維強化樹脂製のシャフトが使用されている割合が非常に高い。
【０００３】
一方、ゴルフクラブの中でも、パターにおいては、その使用される主目的がボールを遠くに飛ばすことではなく、カップにボールを入れることであるため、ターゲットに対するより正確なコントロールが必要とされる。そのため、それぞれのプレーヤーに適したゴルフクラブとして、例えば、大型のマレット型と呼ばれる形状のヘッドや、ベリーパターのようなゴルフクラブシャフトが長い長尺タイプ等の、様々な形状のヘッドとゴルフクラブシャフトから構成されるパターが開発されている。このようなパターには、ストレートタイプのものだけでなく、ベンドタイプやダブルベンドタイプといった一部が局部的に曲がったゴルフクラブシャフトも使用されるため、これらパター用のゴルフクラブシャフトには、加工性に優れたスチール製のゴルフクラブシャフトが一般的に用いられている。
【０００４】
しかしながら、パターの形状が多様化する中、従来のスチール製パター用ゴルフクラブシャフトでは、その材質上、重量を軽減することが難しく、パターの操作性をより向上させたり、パターの長さやバランスをよりフレキシブルに調整したりするために、炭素繊維強化樹脂製ゴルフクラブシャフトをパターに適用することが望まれている。しかし、従来の炭素繊維強化樹脂製のパター用ゴルフクラブシャフトは、成型上の制約から、ベンドタイプやダブルベンドタイプといった局部的に曲がった形状を得ることが難しいため、ストレートタイプのシャフトを持つパターへの適用が大半であった。
【０００５】
特許文献１や特許文献２では、多数の単繊維よりなる繊維束で形成される屈曲した筒状物を熱硬化性樹脂で結合してなることを特徴とするパター用屈曲ゴルフシャフトが開示されている。しかしながら、この製法はいわゆるフィラメントワインディングにて成型されたゴルフクラブシャフトであり、屈曲した形状を成型することは可能であるが、ゴルフクラブシャフトの長手方向に繊維束を充分に配列させることが出来ないため、パター用ゴルフクラブシャフトとして必要な剛性を十分に得ることが出来ず、また十分な軽量化を実現することが出来ないという問題を抱えていた。
【０００６】
一方、特許文献３では、炭素繊維を所定の方向に配向させた炭素繊維強化プラスチック層を内層と外層に設けることにより、スチールシャフトに近いスイングバランスの設定が可能な炭素繊維強化プラスチック製のゴルフクラブパター用シャフトが開示されている。しかしながら、このシャフトは従来のスチールシャフトと同等の炭素繊維強化プラスチック製のゴルフクラブパター用シャフトを得ることが出来るが、ストレートタイプのゴルフクラブシャフトに限定されてしまうため、ベンドタイプのゴルフクラブシャフトを装着するパターヘッドには適用できなかった。
【先行技術文献】
【特許文献】
【０００７】
【特許文献１】特開昭５２−１３２９３３号公報
【特許文献２】特開昭５４−１６２４１号公報
【特許文献３】特開平１０−１５１３０号公報
【発明の開示】
【発明が解決しようとする課題】
【０００８】
本発明は、かかる事情に鑑みてなされたもので、自動車やオートバイのバックミラーのステー等の支持部材や、自転車のフレーム等の補強材に使用することができ、特に、パター用ゴルフクラブシャフトとして好適に使用することのできる管状体とその製造方法を提供することを目的とする。
【課題を解決するための手段】
【０００９】
本発明者らは、上記課題に鑑み鋭意検討を行った結果、以下の発明により上記課題が解決出来ることを見出し、本発明を完成した。
【００１０】
すなわち本発明は、以下の構成を有する。
本発明は、以下の構成を有する。
〔１〕  長手方向に繊維が連続した繊維強化樹脂硬化物層が積層された、屈曲部を有する管状体。
〔２〕  繊維強化樹脂硬化物層が炭素繊維強化樹脂層である、〔１〕記載の管状体。
〔３〕  円筒形状を有する、〔１〕又は〔２〕記載の管状体。
〔４〕  〔１〕〜〔３〕のいずれかに記載の管状体から構成される、パター用ゴルフクラブシャフト。
〔５〕  先端部Ａと本体部Ｂとからなり、先端部Ａは少なくとも１か所に前記屈曲部を有するテーパー状またはストレート状の形態であり、本体部Ｂはシャフト長手軸方向に対し実質的に曲りのないテーパー状またはストレート状の形態である、〔４〕記載のパター用ゴルフクラブシャフト。
〔６〕  前記先端部Ａがシャフトのヘッド側端乃至ヘッド側端から２００ｍｍの領域であり、前記先端部Ｂがヘッド側端から２００ｍｍ乃至グリップ側端の領域である、〔５〕記載のパター用ゴルフクラブシャフト。
〔７〕  接合部を有さない前記先端部Ａ及び前記本体部Ｂから構成される、〔５〕又は〔６〕記載のパター用ゴルフクラブシャフト。
〔８〕  繊維強化樹脂硬化物層の繊維がシャフトの長手方向に対して８０°〜１００°に配向されたフープ層が、先端部Ａの最外層に積層されている、〔５〕〜〔７〕のいずれかに記載のパター用ゴルフクラブシャフト。
〔９〕  先端部Ａの屈曲部の角度をそれぞれθｎ（ｎは整数）とした時、
１３５°≦  θｎ  ＜  １８０°
の範囲からなる、〔５〕〜〔８〕のいずれかに記載のパター用ゴルフクラブシャフト。
〔１０〕  シャフトの重量（ｇ）をＧとし、シャフトの細径端から太径端までの距離（ｍｍ）をＬとした時、
０．０３  ≦  Ｇ／Ｌ  ≦  ０．１５
の範囲である、〔５〕〜〔９〕のいずれかに記載のパター用ゴルフクラブシャフト。
【００１１】
〔１１〕  繊維方向が、管状体の長手方向に対して+３０〜+７０°に配向された層と、−３０〜−７０°に配向された層とからなるプリプレグをマンドレルに巻き付けた後に加熱硬化してバイアス層を得る工程と、繊維方向が管状体の長手方向に引き揃えられたストレート層を形成するプリプレグを巻き付ける工程と、その上からテープをらせん状に巻き付けた後にマンドレルを取り外し、巻き付け物を得る工程と、この巻き付け物を加熱し局部的に屈曲させる工程と、局部的に屈曲した状態を保持させながら加熱硬化する工程とを有する、連続した繊維強化樹脂硬化物層が積層された管状体の製造方法。
〔１２〕  繊維強化樹脂が炭素繊維強化樹脂である、〔１１〕記載の管状体の製造方法。
〔１３〕  得られる管状体が円筒形状を有する、〔１１〕又は〔１２〕記載の管状体の製造方法。
〔１４〕  〔１１〕記載の各工程を有する、パター用ゴルフクラブシャフトの製造方法。
〔１５〕  前記のバイアス層を形成する工程において、該バイアス層を形成するプリプレグの巻き付け後、その上からテープをらせん状に巻き付けた後に加熱硬化させ、加熱硬化後にテープを除去する、〔１４〕記載のパター用ゴルフクラブシャフトの製造方法。
〔１６〕  前記の管状体の長手方向に引き揃えられたストレート層を形成するプリプレグを巻き付ける工程において、補助層を形成するプリプレグも巻き付ける、〔１４〕又は〔１５〕記載のパター用ゴルフクラブシャフトの製造方法。
〔１７〕  前記の補助層が、繊維強化樹脂の繊維がシャフトの長手方向に対して８０°〜１００°に配向されたフープ層であり、これを形成するプリプレグをシャフトのヘッド側端乃至ヘッド側端から２００ｍｍに相当する領域に巻き付ける、〔１６〕記載のパター用ゴルフクラブシャフトの製造方法。
〔１８〕  前記巻き付け物を加熱し局部的に屈曲させる工程において、シャフトのヘッド側端乃至ヘッド側端から２００ｍｍに相当する領域を屈曲させる、〔１４〕〜〔１７〕のいずれかに記載のパター用ゴルフクラブシャフトの製造方法。
〔１９〕  前記巻き付け物を加熱し局部的に屈曲させる工程において、シャフトのヘッド側端乃至ヘッド側端から２００ｍｍに相当する領域の１か所以上を屈曲させる際に、この屈曲させる角度をそれぞれθｎ（ｎは整数）とした時、
１３５°≦  θｎ  ＜  １８０°
の範囲となるようにする、〔１４〕〜〔１８〕のいずれかに記載のパター用ゴルフクラブシャフトの製造方法。
〔２０〕  繊維方向が、シャフトの長手方向に対して＋４５°と−４５°からなるバイアス層を形成するプリプレグをマンドレルに巻き付ける工程と、その上からポリプロピレン製のテープをらせん状に巻き付けた後加熱硬化する工程と、加熱硬化後にテープを剥ぎ取り、繊維方向が、シャフトの長手方向に引き揃えられたストレート層を形成するプリプレグ、および補助層を形成するプリプレグを巻き付ける工程と、その上からポリプロピレン製のテープをらせん状に巻き付けた後にマンドレルを取り外す工程と、シャフトの細径端部乃至細径端から２００ｍｍの領域のみを加熱し局部的に屈曲させる工程と、局部的に屈曲した状態を保持させながら加熱硬化する工程とを有する、炭素繊維強化樹脂硬化物が積層されたパター用ゴルフクラブシャフトの製造方法。
【発明の効果】
【００１２】
本発明に係る管状体によれば、屈曲部を有するとともに、軽量でありながら剛性も高いため、自動車やオートバイのバックミラーのステー等の支持部材や、自転車のフレーム等の補強材に使用することができ、特に、パター用ゴルフクラブシャフトとして好適に使用することができるものである。
また、本発明に係る管状体の製造方法によれば、従来困難であった、長手方向に繊維が連続した繊維強化樹脂硬化物層が積層された管状体への屈曲部の付与を可能とするものであり、特に、パター用ゴルフクラブシャフトの製造方法として好適なものである。
【図面の簡単な説明】
【００１３】
【図１】実施例１〜２と比較例１で使用したマンドレルの概略説明図である。
【図２】実施例１〜２でパター用ゴルフクラブ用シャフトの製作に用いたプリプレグの裁断形状と、マンドレルへの巻き付け順序とを示す説明図である。
【図３】比較例１でパター用ゴルフクラブ用シャフトの製作に用いたプリプレグの裁断形状と、マンドレルへの巻き付け順序とを示す説明図である。
【図４】実施例３〜４と比較例２で使用したマンドレルの概略説明図である。
【図５】実施例３〜４でパター用ゴルフクラブ用シャフトの製作に用いたプリプレグの裁断形状と、マンドレルへの巻き付け順序とを示す説明図である。
【図６】比較例２でパター用ゴルフクラブ用シャフトの製作に用いたプリプレグの裁断形状と、マンドレルへの巻き付け順序とを示す説明図である。
【発明を実施するための形態】
【００１４】
本発明の管状体は、屈曲部を有する繊維強化樹脂硬化物層の積層構造が形成されており、この屈曲部を含む管状体の長手方向に連続した繊維が継ぎ目なく配置されていることによって、充分な強度と剛性を確保しながら軽量化を実現することが可能となる。
【００１５】
本発明の管状体に配置される上記の繊維としては特に限定されるものではなく、炭素繊維、ガラス繊維、アラミド繊維、炭化ケイ素繊維、アルミナ繊維、スチール繊維等を適宜選択して使用することができるが、強度と剛性の向上と軽量化の両立を図れることから、炭素繊維が特に好ましい。
【００１６】
また、本発明の管状体の形状は特に限定されるものではなく、断面が円形、楕円形、三角形、四角形等を適宜選択することができるが、円形（円筒形状）が強度の点から好ましく、特にパター用ゴルフシャフトとして好適に使用することができる。
【００１７】
以下、本発明の管状体について、パター用ゴルフクラブシャフトを例として説明する。
本発明の管状体の実施形態の一つであるパター用ゴルフクラブシャフトは、好ましくは炭素繊維強化樹脂製であり、円筒形状を有し、ストレート状、又は、軸方向に垂直な面の外径が長さ方向の一端から他端に向かって大きくなるテーパー形状であり、例えば、両端部から途中の径切換部まで外径が同一となるように形成されたものも含む。以下、テーパー形状の場合において、外径が小さい側の端部を細径端部といい、外径が大きい側の端部を太径端部という。また、細径端部乃至細径端から２００ｍｍの領域を先端部Ａとし、細径端から２００ｍｍ乃至太径端の領域を本体部Ｂとし、先端部Ａは少なくとも１か所が局部的に屈曲している。
【００１８】
上述のパター用ゴルフクラブシャフトは、管状体長手方向に対する繊維の巻角度が３０〜７０°の範囲内で、正逆両方向であるバイアス層と、管状体長手方向に対する繊維の巻角度が−５°〜＋５°の範囲内であるストレート層を有する繊維強化樹脂製パター用ゴルフクラブシャフトである。このパター用ゴルフクラブシャフトは、繊維を一方向に引き揃えてなるシート状の強化繊維に樹脂を含浸させた繊維強化樹脂層（以下、プリプレグということがある。）を、マンドレル（芯金）に複数回巻きつけて、これを加熱、硬化させ、成形するシートラッピング法により製造することができる。
【００１９】
このプリプレグとしては、炭素繊維強化樹脂層が好適に選択される。ここで使用される炭素繊維としては、ポリアクリロニトリル繊維を原料とするＰＡＮ系炭素繊維、または石油または石炭ピッチを原料とするピッチ系炭素繊維のいずれも使用することが可能であるが、屈曲させた部分の強度を十分に高める上で、強度の高いＰＡＮ系炭素繊維が好適に用いられる。また、炭素繊維とともに、ガラス繊維、アラミド繊維、炭化ケイ素繊維、アルミナ繊維又はスチール繊維などを併用して使用しても良い。
【００２０】
また、上述のプリプレグに使用されるマトリックス樹脂としては、特に限定されないが、通常エポキシ樹脂が用いられる。エポキシ樹脂としては、例えばビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、グリシジルアミン型エポキシ樹脂、イソシアネート変性エポキシ樹脂又は脂環式エポキシ樹脂などを使用し得る。これらのエポキシ樹脂は、液状のものから固体状のものまで使用できる。更に、単一種類のエポキシ樹脂又は２種類以上のエポキシ樹脂を混合して使用することもできる。
【００２１】
本実施形態のパター用ゴルフクラブシャフトは、例えば、シャフトの細径端部乃至細径端から２００ｍｍの領域を先端部Ａとし、シャフトの細径端から２００ｍｍ乃至太径端の領域を本体部Ｂとした時、本体部Ｂはシャフト長手軸方向に対し実質的に曲りのないテーパー状またはストレート状の円筒形状であり、先端部Ａは少なくとも１か所が局部的に屈曲してなるテーパー状またはストレート状の円筒形状であり、かつこれら先端部Ａと本体部Ｂは接合部を有することなく、プリプレグにて一体成型されている。
【００２２】
先端部Ａは、フェイスプログレッションやライ角といったパターを調整する上で部分的に屈曲した形状を有している。先端部Ａの形状をパター毎に最適な形状にすることで、操作性に優れたパターを作製することが可能となる。
【００２３】
上述の通り、本実施形態のパター用ゴルフクラブシャフトは、炭素繊維強化樹脂硬化物層から成ることが好適である。パター用ゴルフクラブシャフトの長手方向に対して強化繊維が３０°〜７０°で配向されたプリプレグと、−３０°〜−７０°で配向されたプリプレグを貼り合せて形成されるバイアス層と、長手方向に対して強化繊維が−５°〜＋５°で配向されたプリプレグから形成されるストレート層を有することが好ましい。また、先端部Ａと本体部Ｂが接合されることなく、一体成型されていることが重要である。先端部Ａと本体部Ｂを別々に成型し接合すると、接合部に構造が複雑になり重量が重くなったり、接着剤などで接合した場合に十分な強度を得られなかったりするため好ましくない。本実施形態のパター用ゴルフクラブシャフトは、プリプレグで先端部Ａと本体部Ｂが一体成型されている点が重要である。
【００２４】
本実施形態のパター用ゴルフクラブシャフトの先端部Ａの積層構成は、最外層にパター用ゴルフクラブシャフトの長手方向に対して強化繊維が８０°〜１００°で配向されたプリプレグから形成されるフープ層を有することが、より好ましい形態である。先端部Ａは、局部的に屈曲させる必要があるが、その時にストレート層やバイアス層が最外層に配置されていると、最外層の強化繊維が折れてしまったり、屈曲してしまったりする可能性が生じ、強度が十分に確保されにくいことがある。一方、最外層に強化繊維が８０°〜１００°で配向されたプリプレグから構成されるフープ層を配置することで、このような問題の発生を抑制することができ、より強度の高いパター用ゴルフクラブシャフトを得ることが可能となる。
【００２５】
また、本実施形態のパター用ゴルフクラブシャフトの先端部Ａにおいて、屈曲部から太径端側のシャフトの軸線と、屈曲部から細径端側のシャフトの軸線との交点がおりなす角度をそれぞれθｎ（ｎは整数）とした時、
１３５°≦  θｎ  ＜  １８０°
の範囲であることが好ましい。これは、この角度を１３５°以上とすることによって、シャフト製造時に、強化繊維が折れたり、シャフトが潰れたりしにくくなり、シャフトの生産性が向上する傾向にあるためである。さらに好ましくは、
１４５°≦  θｎ  ＜  １８０°
の範囲であり、この範囲であれば、強化繊維の屈曲による強度低下を十分に抑制することが可能となる。
【００２６】
本実施形態のパター用ゴルフクラブシャフトの重量をＧ（ｇ）とし、シャフトの細径端から太径端までの距離（ｍｍ）をＬとした時、
０．０３  ≦  Ｇ／Ｌ  ≦  ０．１５
の範囲であることが好ましい。Ｇ／Ｌが０．０３より小さくなると、強化繊維樹脂硬化物層が少なくなり過ぎる傾向にあるので、剛性が十分でなかったり、強度が十分でなかったりすることがあり、Ｇ／Ｌが０．１５より大きくなると、シャフトの剛性が高くなり過ぎるため、シャフト製造が困難であったり、パターの総重量が重くなり過ぎてしまうため、操作性が損なわれてしまったりすることがあるためである。さらに好ましくは、
０．０４  ≦  Ｇ／Ｌ  ≦  ０．１３
の範囲であり、この範囲であれば、パター用ゴルフクラブシャフトとしての十分な剛性や強度と、高い操作性を両立することが可能となる。
【００２７】
本発明の連続した繊維強化樹脂硬化物層が積層された管状体は、繊維方向が、管状体の長手方向に対して+３０〜+７０°に配向された層と、−３０〜−７０°に配向された層とからなるプリプレグをマンドレルに巻き付けた後に加熱硬化してバイアス層を得る工程と、繊維方向が管状体の長手方向に引き揃えられたストレート層を形成するプリプレグを巻き付ける工程と、その上からテープをらせん状に巻き付けた後にマンドレルを取り外し、巻き付け物を得る工程と、この巻き付け物を加熱し局部的に屈曲させる工程と、局部的に屈曲した状態を保持させながら加熱硬化する工程を経ることによって、製造することができる。
【００２８】
この製造方法は、上述の炭素繊維強化樹脂硬化物層からなる管状体の製造に好適に採用できるものであり、上述の円筒形状を有する管状体の製造に好適な方法であり、上述の屈曲部を有するパター用ゴルフクラブの製造方法として、特に好適なものである。
【００２９】
上記の管状体の製造方法においては、まず、バイアス層を有する管状の繊維強化樹脂硬化物を管状体の内層として形成させる。これによって、後のマンドレル取り外し時における内層の破損や、管状体を加熱し局部的に屈曲させる際の管状体の変形や破損を抑制することができる。
この硬化物は、バイアス層のみからなるのが好ましく、最内層として形成させるのが好ましい。
【００３０】
また、このバイアス層を有する硬化物の形状を安定させ、硬化物全体の硬化を均一にするため、前記のプリプレグをマンドレルに巻き付けた後に加熱硬化する工程において、該プリプレグの巻き付け後、その上からテープをらせん状に巻き付けた後に加熱硬化させ、加熱硬化後にテープを除去するのが好ましい。
ここで使用するテープは、硬化樹脂の種類や硬化条件に応じて適宜選択することができるが、例えば、繊維強化樹脂層のマトリックス樹脂として、硬化温度が１３０〜１４０℃であるエポキシ樹脂を用いる場合には、２〜３ｃｍ幅のポリプロピレン製収縮フィルムを使用することができる。
【００３１】
上記の管状体の製造方法においては、バイアス層を有する管状の繊維強化樹脂の硬化物の上に、繊維が管状体の長手方向に引き揃えられたストレート層を形成するプリプレグを巻き付ける。
【００３２】
さらに、必要に応じて、補助層を形成するプリプレグも巻き付けることもできる。
この補助層としては、上述のストレート層やバイアス層を採用することもできるが、上述のフープ層を好適に採用することができ、これを管状体の屈曲部に設けることによって、この部分の強度を向上させることができる。特に、この管状体をパター用ゴルフシャフトとして用いる場合には、このフープ層をシャフトのヘッド側端乃至ヘッド側端から２００ｍｍに相当する領域に形成させるのが好ましい。
上述のストレート層や補助層を形成するプリプレグを巻き付けた後は、バイアス層形成時と同様に、その上から上記と同様のテープをらせん状に巻き付け、その後マンドレルを取り外し、巻き付け物を得る。
【００３３】
この巻き付け物の屈曲させる部位を局部的に加熱しながら曲げることにより、所望の形状とする。この時の加熱温度は、巻き付けたプリプレグの未硬化樹脂が軟化する温度以上であり、かつこの樹脂の硬化が始まる温度未満の範囲とするのが好ましい。また、強化繊維へのダメージを極力避けるために、できるだけゆっくり曲げるのが好ましい。
なお、この曲げる工程で、既に硬化しているバイアス層の一部が損傷することもあり得るが、これが最終的に得られる管状体の屈曲部の物性に与える影響は、実質的に無視できる程度である。
【００３４】
上記の屈曲部の位置は、得られる管状体の用途に応じて適宜選択することができるが、この管状体をパター用ゴルフシャフトに用いる場合には、シャフトのヘッド側端乃至ヘッド側端から２００ｍｍに相当する領域を屈曲させるのが好ましい。
【００３５】
また、上記の屈曲部の角度は、得られる管状体の用途に応じて適宜選択することができるが、この管状体をパター用ゴルフシャフトに用いる場合には、シャフトのヘッド側端乃至ヘッド側端から２００ｍｍに相当する領域の１か所以上を屈曲させる際に、この屈曲させる角度をそれぞれθｎ（ｎは整数）とした時、
１３５°≦  θｎ  ＜  １８０°
の範囲となるようにするのが好ましい。
これは、この角度を１３５°以上とすることによって、シャフト製造時に強化繊維が折れたり、シャフトが潰れたりしにくくなり、シャフトの生産性が向上する傾向にあるためである。
さらに好ましくは、
１４５°≦  θｎ  ＜  １８０°
の範囲であり、この範囲であれば、強化繊維の屈曲による強度低下を十分に抑制することが可能となる。
【００３６】
上記のようにして特定の部位に屈曲部を形成した後は、屈曲した状態を保持させながら樹脂の硬化温度にて加熱することにより、本発明の管状体を得ることができる。なお、屈曲した状態を保持させるため、金型や固定冶具を使用することも好適である。金型や固定冶具を使用することにより、より精度の高い屈曲した管状体を得ることが出来る。
【実施例】
【００３７】
以下、実施例により本発明を具体的に説明するが、本発明はこれらの実施例により何ら限定されるものではない。
【００３８】
（実施例１）
図１に示す形状のマンドレル１０（鉄製）を用意した。このマンドレル１０は、全体の長さＬ１３にあって、その細径端Ｐ１１から長さＬ１１の位置（切換点）Ｐ１２まで、その外径が直線的に漸増し、切換点Ｐ１２から長さＬ１２の大径端Ｐ１３まで、その外径は一定である、鉄製の円筒体からなる。本実施例による前記マンドレル１０の各部位における具体的な外径、長さ、テーパー度は以下のとおりである。
【００３９】
細径端Ｐ１１の外径は３．８５ｍｍ、切換点Ｐ１２の外径は１３．７５ｍｍ、この切換点Ｐ１２から太径端Ｐ１３までは同一外径であり、その外径は１３．７５ｍｍである。細径端Ｐ１１から切替点Ｐ１２までの長さＬ１１は９００ｍｍ、切替点Ｐ１２から太径端Ｐ１３までの長さＬ１２は６００ｍｍである。マンドレル１０の全体長さＬ１３は１５００ｍｍとなる。また、細径端Ｐ１１から切替点Ｐ１２までのテーパー度は１１．００／１０００である。
【００４０】
このマンドレル１０に、図２に示した形状に切断したプリプレグ（パターン１〜１０）のうち、パターン１を巻き付け、その上に２０ｍｍ幅のポリプロピレン製収縮テープをピッチ２ｍｍで巻き付けた後、加熱し硬化させた。なお、パターン１は、炭素繊維（ＣＦ）がマンドレルの軸方向に対して＋４５°に配向したプリプレグと、−４５°に配向したプリプレグとを、マンドレル１０に対して実質的に半周ずれるようにして２枚重ね合わせたものである。
なお、図２中のプリプレグ１〜６の材質は表１に、またパターン１〜１０のプリプレグ各部のサイズを表２に示している。
【００４１】
【表１】
2016147056.tif 000003
【００４２】
【表２】
2016147056.tif 000004
【００４３】
また、マンドレル１０におけるプリプレグを巻き付ける領域は、マンドレルの細径端から測って２２５ｍｍから太径端に向けて９８５ｍｍの位置までとした。プリプレグ１を使ったパターン１をマンドレル１０に巻き付け、その上に２０ｍｍ幅のポリプロピレン製収縮テープをピッチ２ｍｍで巻き付けてから、これを加熱炉に入れ加温し１３５℃で２時間保持した後、常温まで自然冷却させてマンドレル１０から硬化したシャフトを外し、前記収縮テープを剥ぎ取った。
【００４４】
因みに、このパターン１においては、炭素繊維（ＣＦ）がマンドレルの軸方向に対して＋４５°に配向したバイアス層を構成するプリプレグと、−４５°に配向したバイアス層を構成するプリプレグとを、太径側端部において２２ｍｍ（ｙ１１）、細径側端部において１０ｍｍ（ｘ１１）ずらせて、重ね合わせている。
【００４５】
加熱硬化後、マンドレル１０を抜き取り、ポリプロピレン製収縮テープを剥ぎ取って予備成型シャフトを得た。そして、この予備成型シャフトを再びマンドレル１０に挿入し、パターン２〜１０を順にこの予備成型シャフト上に巻き付け、その上に２０ｍｍ幅のポリプロピレン製収縮テープをピッチ２ｍｍで巻き付けた後、再びマンドレル１０を抜き取った。パターン１０はマンドレル１０の主軸に対する強化繊維の巻角度は９０°であるフープ層に相当し、パターン２〜９はマンドレル１０の主軸に対して強化繊維の巻角度を０°であるストレート層に相当する。
【００４６】
マンドレル１０を抜き取った未硬化シャフトの先端部Ａの部分に、ドライヤーで温めながら所望の形状になるようシャフトを慎重に曲げ、そのシャフトを形状が変わらないように注意して加熱硬化させた。なお、シャフトを曲げる時に熱を掛け過ぎると、樹脂の流動性が高くなったり、硬化反応が始まったりしてしまうため、温め方には十分注意して作業を実施した。そして、加熱硬化後、ポリプロピレン製収縮テープを剥ぎ取った後、細径端部から１０ｍｍと太径端部から１０ｍｍを切断し、表面が平滑になるよう研磨を実施した。
【００４７】
本実施例におけるパターン１の２枚のプリプレグは、マンドレル１０の主軸に対する強化繊維の巻角度は４５°で、正逆両方向であるバイアス層を形成するものであり、パターン１０はマンドレル１０の主軸に対する強化繊維の巻角度は９０°であるフープ層を形成するものであり、パターン２〜９はマンドレル１０の主軸に対して強化繊維の巻角度が０°であるストレート層を形成するものである。
【００４８】
得られたシャフトの質量Ｇ、全長Ｌ、細径端部から１０ｍｍと太径端部から２５ｍｍの位置の外径を表４に示す。また、本実施例では、細径端部から６０ｍｍと１２５ｍｍの２か所で屈曲させ、それぞれの角度をθ１とθ２とし、それぞれの値を表４に合わせて示す。
【００４９】
［ゴルフクラブヘッド、およびグリップの取り付け］
実施例のパター用ゴルフクラブシャフトに、市販のパターヘッド（質量３７４ｇ）をアクリル樹脂接着剤で細径端に取り付けた。さらに、シャフト太径端を９０ｍｍカットし、市販のゴム製グリップを両面テープにて取り付け、実施例のゴルフクラブを作製した。本実施例のパター用ゴルフクラブの質量、クラブ長、バランスを測定した結果を表５に示す。
【００５０】
（実施例２）
マンドレル１０を抜き取った未硬化シャフトの先端部Ａの部分に、ドライヤーで温めながらθ１とθ２を１３０°になるようシャフトを曲げた以外は、全て実施例１と同じ要領でシャフトを作製した。曲げる工程でシャフトの潰れが生じたが、得られたシャフトの質量Ｇ、全長Ｌ、細径端部から１０ｍｍと太径端部から２５ｍｍの位置の外径を表４に示す。また、実施例１と同様にして、パター用ゴルフクラブを作製し、質量、クラブ長、バランスを測定した結果を表５に示す。
【００５１】
（比較例１）
このマンドレル１０に、図３に示した形状に切断したプリプレグ（パターン１〜２）のうち、パターン１を巻き付け、その上に２０ｍｍ幅のポリプロピレン製収縮テープをピッチ２ｍｍで巻き付けて加熱し、硬化させて収縮テープを剥ぎ取った後、図３に示したパターン２を巻き付けた以外は、実施例１と同様にして評価を実施した。得られた管状体においては、求める形状は得られたものの、剛性が不充分であり、パター用ゴルフシャフトとして、充分な機能を有していなかった。
【００５２】
表５の結果から明らかなように、実施例１、２により得られた屈曲部を有する炭素繊維強化樹脂製パター用ゴルフクラブシャフトは、スチール製パター用ゴルフクラブと同様の形状を得ることが可能であり、かつ軽量化することが出来るため、用途に応じたパター用ゴルフクラブを得ることが可能となる。
【００５３】
（実施例３）
図４に示す形状のマンドレル１１（鉄製）を用意した。このマンドレル１１は、全体の長さＬ２５にあって、その細径端Ｐ２１から長さＬ２１の位置（第１切換点）Ｐ２２まで、その外径が直線的に漸増し、切換点Ｐ２２から長さＬ２２の位置（第２切換点）Ｐ２３まで、その外径が直線的に漸増し、切換点Ｐ２３から長さＬ２３の位置（第３切換点）Ｐ２４まで、その外径が直線的に漸増し、切換点Ｐ２４から長さＬ２４の太径端Ｐ２５まで、その外径は一定である、鉄製の円筒体からなる。本実施例による前記マンドレル１１の各部位における具体的な外径、長さ、テーパー度は以下のとおりである。
【００５４】
細径端Ｐ２１の外径は３．１０ｍｍ、第１切換点Ｐ２２の外径は３．３０ｍｍ、第２切換点Ｐ２３の外径は８．００ｍｍ、第３切換点Ｐ２４の外径は１０．５０ｍｍ、この切換点Ｐ２４から太径端Ｐ２５までは同一外径であり、その外径は１０．５０ｍｍである。細径端Ｐ２１から第１切換点Ｐ２２までの長さＬ２１は３００ｍｍ、第１切換点Ｐ２２から第２切換点Ｐ２３までの長さＬ２２は４５０ｍｍ、第２切換点Ｐ２３から第３切換点Ｐ２４までの長さＬ２３は１００ｍｍ、切換点Ｐ２４から太径端Ｐ２５までの長さＬ２４は５５０ｍｍである。マンドレル１１の全体長さＬ２５は１４００ｍｍとなる。また、細径端Ｐ２１から第１切換点Ｐ２２までのテーパー度は０．６７／１０００、第１切換点Ｐ２２から第２切換点Ｐ２３までのテーパー度は１０．４４／１０００、第２切換点Ｐ２３から第３切換点Ｐ２４までのテーパー度は２５．００／１０００である。
【００５５】
このマンドレル１１に、図５に示した形状に切断したプリプレグ（パターン１〜８）のうち、パターン１とパターン２を巻き付け、その上に２０ｍｍ幅のポリプロピレン製収縮テープをピッチ２ｍｍで巻き付けた後、加熱し硬化させた。なお、パターン１とパターン２は、炭素繊維（ＣＦ）がマンドレルの軸方向に対して＋４５°に配向したプリプレグと、−４５°に配向したプリプレグとを、マンドレル１０に対して実質的に半周ずれるようにして２枚重ね合わせたものである。
なお、図５中のプリプレグ４，７，８の材質は表１に、またパターン１〜８のプリプレグ各部のサイズを表３に示している。
【００５６】
【表３】
2016147056.tif 000005
【００５７】
また、マンドレル１１におけるプリプレグを巻き付ける領域は、マンドレルの細径端から測って１５０ｍｍから太径端に向けて９８５ｍｍの位置までとした。プリプレグ４を使ったパターン１をマンドレル１１に巻き付け、その上にプリプレグ７を使ったパターン２を巻き付け、その上に２０ｍｍ幅のポリプロピレン製収縮テープをピッチ２ｍｍで巻き付けてから、これを加熱炉に入れ加温し１３５℃で２時間保持した後、常温まで自然冷却させてマンドレル１１から硬化したシャフトを外し、前記収縮テープを剥ぎ取った。
【００５８】
加熱硬化後、マンドレル１１を抜き取り、ポリプロピレン製収縮テープを剥ぎ取って予備成型シャフトを得た。そして、この予備成型シャフトを再びマンドレル１１に挿入し、パターン３〜８を順にこの予備成型シャフト上に巻き付け、その上に２０ｍｍ幅のポリプロピレン製収縮テープをピッチ２ｍｍで巻き付けた後、再びマンドレル１１を抜き取った。パターン８はマンドレル１１の主軸に対する強化繊維の巻角度は９０°であるフープ層に相当し、パターン３〜７はマンドレル１１の主軸に対して強化繊維の巻角度を０°であるストレート層に相当する。
【００５９】
得られたシャフトの質量Ｇ、全長Ｌ、細径端部から１０ｍｍと太径端部から２５ｍｍの位置の外径を表４に示す。また、本実施例では、細径端部から６０ｍｍと１２５ｍｍの２か所で屈曲させ、それぞれの角度をθ１とθ２とし、それぞれの値を表４に合わせて示す。
【００６０】
［ゴルフクラブヘッド、およびグリップの取り付け］
本実施例のパター用ゴルフクラブシャフトに、市販のパターヘッド（質量３７４ｇ）をアクリル樹脂接着剤で細径端に取り付けた。さらに、シャフト太径端を９０ｍｍカットし、市販のゴム製グリップを両面テープにて取り付け、実施例のゴルフクラブを作製した。本実施例のパター用ゴルフクラブの質量、クラブ長、バランスを測定した結果を表５に示す。
【００６１】
（実施例４）
マンドレル１１を抜き取った未硬化シャフトの先端部Ａの部分に、ドライヤーで温めながらθ１を１３０°になるようシャフトを曲げた以外は、全て実施例３と同じ要領でシャフトを作製したが、得られたシャフトの剛性が非常に高いため、加熱硬化後に屈曲部が１３０°以上の角度に戻ってしまい、かつ屈曲部以外にも歪みが出てしまったものの、実施例３と同様にパター用ゴルフクラブを作製することが出来た。
【００６２】
（比較例２）
このマンドレル１１に、図６に示した形状に切断したプリプレグ（パターン１〜３）のうち、パターン１とパターン２を巻き付け、その上に２０ｍｍ幅のポリプロピレン製収縮テープをピッチ２ｍｍで巻き付けて加熱し、硬化させて収縮テープを剥ぎ取った後、図６に示したパターン３を巻き付けた以外は、実施例３と同様にして評価を実施した。求める形状は得られたものの、剛性が不充分であり、パター用ゴルフシャフトとして、充分な機能を有していなかった。
【００６３】
【表４】
2016147056.tif 000006
【００６４】
【表５】
2016147056.tif 000007
【産業上の利用可能性】
【００６５】
本発明の管状体は、屈曲部を有するとともに、軽量でありながら剛性も高いため、自動車やオートバイのバックミラーのステー等の支持部材や、自転車のフレーム等の補強材に使用することができ、特に、パター用ゴルフクラブシャフトとして好適に使用することができる。
また、本発明の管状体の製造方法は、従来困難であった、長手方向に繊維が連続した繊維強化樹脂硬化物層が積層された管状体への屈曲部の付与を可能とするものであり、特に、パター用ゴルフクラブシャフトの製造方法として好適に使用できるものである。
【符号の説明】
【００６６】
１０    マンドレル
１１    マンドレル
【図１】
2016147056.tif 000008
【図２】
2016147056.tif 000009
【図３】
2016147056.tif 000010
【図４】
2016147056.tif 000011
【図５】
2016147056.tif 000012
【図６】
2016147056.tif 000013